(57)【要約】【課題】かご側敷居と乗場側敷居との隙間を十分に塞ぐ。【解決手段】昇降路（１）内を昇降するかご（２）と、かごの出入口（３）を開閉するかごドア（４）と、かごドアの開閉を案内するかご側敷居（５）と、乗場（６）の乗場出入口（７）を開閉する乗場ドア（８）と、乗場ドアの開閉を案内する乗場側敷居（９）と、かごが乗場に停止する際にかご側敷居と乗場側敷居との間に形成される隙間（ＣＬ）を閉塞する隙間閉塞装置（１０）と、を備えたエレベータ装置において、隙間閉塞装置は、膨張体（１１）と、膨張体との間で気体の吸入及び吐出を行う気体供給装置（１２）と、を有して構成され、膨張体は、気体供給装置から吐出される気体により膨張して隙間を閉塞する一方、気体供給装置が膨張体にある気体を吸入することで収縮して隙間の閉塞を解除する。【選択図】図１
2016084183.tif 000002
【特許請求の範囲】
【請求項１】
昇降路内を昇降するかごと、前記かごの出入口を開閉するかごドアと、前記かごの出入口の下縁部を形成すると共に前記かごドアの開閉を案内するかご側敷居と、乗場の乗場出入口を開閉する乗場ドアと、前記乗場出入口の下縁部を形成すると共に前記乗場ドアの開閉を案内する乗場側敷居と、前記かごが前記乗場に停止する際に前記かご側敷居と前記乗場側敷居との間に形成される隙間を閉塞する隙間閉塞装置と、を備えたエレベータ装置において、
前記隙間閉塞装置は、
膨張体と、前記膨張体との間で気体の吸入及び吐出を行う気体供給装置と、を有して構成され、
前記膨張体は、前記気体供給装置から吐出される気体により膨張して前記隙間を閉塞する一方、前記気体供給装置が前記膨張体にある気体を吸入することで収縮して前記隙間の閉塞を解除することを特徴とするエレベータ装置。
【請求項２】
請求項１において、
前記気体供給装置は、前記かごドアまたは前記乗場ドアの開動作に連動して前記膨張体を膨張させ、前記かごドアまたは前記乗場ドアの閉動作に連動して前記膨張体を収縮させることを特徴とするエレベータ装置。
【請求項３】
請求項１または２において、
前記膨張体は、前記隙間を閉塞した状態で、前記かご側敷居および前記乗場側敷居から突出しない状態に保持されることを特徴とするエレベータ装置。
【請求項４】
請求項３において、
前記膨張体は、かごの正面側から見て上下方向より前後方向へ膨張しやすい特性を有するゴムチューブから成ることを特徴とするエレベータ装置。
【請求項５】
請求項１〜４の何れか１項において、
前記隙間閉塞装置は、前記かごに設けられることを特徴とするエレベータ装置。
【発明の詳細な説明】
【技術分野】
【０００１】
本発明は、エレベータ装置に関する。
【背景技術】
【０００２】
エレベータ装置にあっては、昇降路内をかごが昇降するという構造上、かご側敷居と乗場側敷居との間に隙間が必要である。ところが、この隙間が大きいと、異物が落下したり、車いす等のタイヤが挟まったりして安全上問題となる。そのため、例えば、日本の建築基準法では、かご側敷居と乗場側敷居との水平距離、すなわち隙間寸法を４ｃｍ以下とすることが定められている。
【０００３】
また、かご側敷居と乗場側敷居との間の隙間を塞ぐ技術として、例えば特許文献１が公知である。この特許文献１には、「エレベータ敷居隙間縮小装置において、エレベータの昇降路内を昇降する乗りかごのかご出入口を開閉するかご戸と、前記かご出入口の下縁部を形成するかご敷居と、前記かご敷居に設けられ、弾性力により乗場側へと突出して前記かご敷居と乗場敷居との隙間を塞いで縮小する遮蔽体と、前記かご戸の下部に設けられ、前記かご戸の全閉時において前記遮蔽体を前記弾性力に抗して前記乗りかご側へと押さえ、前記かご戸の全開時において前記遮蔽体を解放する押え板と、を備える」ことが記載されている（要約参照）。
【先行技術文献】
【特許文献】
【０００４】
【特許文献１】特開２０１０−１４３７３０号公報
【発明の概要】
【発明が解決しようとする課題】
【０００５】
特許文献１において、遮蔽体は、可撓性を有する多数の突起体をブラシ状に配置して構成される。そして、押さえ板がこの遮蔽体を弾性力に抗して撓ませる構造となっている。そのため、経年により、遮蔽体が比較的容易に劣化または変形し、かご側敷居と乗場側敷居との間の隙間を十分に塞ぐことが困難になるという課題がある。
【０００６】
本発明は、前述した従来技術における実状からなされたもので、その目的は、経年劣化または変形が少なく、かつ、かご側敷居と乗場側敷居との隙間を十分に塞ぐことのできるエレベータ装置を提供することにある。
【課題を解決するための手段】
【０００７】
上記目的を達成するために、本発明は、昇降路内を昇降するかごと、前記かごの出入口を開閉するかごドアと、前記かごの出入口の下縁部を形成すると共に前記かごドアの開閉を案内するかご側敷居と、乗場の乗場出入口を開閉する乗場ドアと、前記乗場出入口の下縁部を形成すると共に前記乗場ドアの開閉を案内する乗場側敷居と、前記かごが前記乗場に停止する際に前記かご側敷居と前記乗場側敷居との間に形成される隙間を閉塞する隙間閉塞装置と、を備えたエレベータ装置において、前記隙間閉塞装置は、膨張体と、前記膨張体との間で気体の吸入及び吐出を行う気体供給装置と、を有して構成され、前記膨張体は、前記気体供給装置から吐出される気体により膨張して前記隙間を閉塞する一方、前記気体供給装置が前記膨張体にある気体を吸入することで収縮して前記隙間の閉塞を解除することを特徴とする。
【発明の効果】
【０００８】
本発明によれば、経年劣化または変形が少なく、かつ、かご側敷居と乗場側敷居との隙間を十分に塞ぐことのできるエレベータ装置を提供することができる。なお、上記した以外の課題、構成および効果は、以下の実施形態の説明により明らかにされる。
【図面の簡単な説明】
【０００９】
【図１】本発明の実施形態に係るエレベータ装置の上面図である。
【図２】図１に示すエレベータ装置のかごの正面図である。
【図３】（ａ）バルーン体（膨張体）が収縮している状態を示す図、（ｂ）バルーン体が膨張している状態を示す図である。
【発明を実施するための形態】
【００１０】
以下、本発明の実施形態に係るエレベータ装置を図に基づき説明する。図１は本発明の実施形態に係るエレベータ装置の上面図、図２は図１に示すエレベータ装置のかごの正面図である。
【００１１】
本実施形態に係るエレベータ装置では、図１に示すように、昇降路１内に乗客等を載せて昇降するかご２が配設されている。かご２の正面部となるかご出入口３には、かご出入口３を開閉するかごドア４が設けられていると共に、かご出入口３の下縁部にはかご側敷居５が取付けられている（図２参照）。かごドア４の下端部はかご側敷居５に設けられた溝に摺動自在に係合しており、かごドア４の開閉時にかご側敷居５の溝により案内される。
【００１２】
かご２が停止する階床の乗場６の、かご２が当該階床に停止した際にかご出入口３と対向する位置には、乗場出入口７が設けられている。乗場出入口７には、乗場ドア８が開閉自在に設けられていると共に、乗場出入口７の下縁部には乗場側敷居９が取付けられている。乗場ドア８の下端部は乗場側敷居９に設けられた溝に摺動自在に係合しており、乗場ドア８の開閉時に乗場側敷居９の溝により案内される。
【００１３】
そして、本実施形態のエレベータ装置は、かごドア４および乗場ドア８のドア開時に、かご側敷居５と乗場側敷居９との隙間ＣＬを閉塞する隙間閉塞装置１０を備えている。隙間閉塞装置１０は、かご側敷居５と乗場側敷居９との間に配設され、かごドア４および乗場ドア８の開扉時に膨張すると共に、かごドア４および乗場ドア８の閉扉時に収縮するバルーン体（膨張体）１１と、このバルーン体１１を膨張および収縮させるポンプ（気体供給装置）１２と、ポンプ１２とバルーン体１１とを繋ぐパイプ１３と、を備えている。
【００１４】
バルーン体１１は、例えばゴムチューブから成っており、膨張時に乗場側敷居９に向かってせり出し可能なようにかご側敷居５に沿って取付けられている。バルーン体１１について図３を用いてより詳細に説明する。図３は、バルーン体１１が隙間ＣＬを閉塞している状態と、その閉塞を解除した状態を示している。図３（ａ）に示すように、バルーン体１１は、かご側敷居５の側壁に接着剤等により固着される。そして、かご２の昇降時にはバルーン体１１は収縮しており、隙間ＣＬは閉塞されていない。
【００１５】
バルーン体１１は、かご４の正面側から見て上下方向より前後方向に膨張しやすい特性を有しているため、バルーン体１１が膨張すると、図３（ｂ）に示すように、上下方向にはさほど膨張しないが、乗場側敷居９に向かって水平方向に膨張する。そして、バルーン体１１は、膨張した状態において隙間ＣＬを閉塞する。このとき、バルーン体１１は、かご側敷居５及び乗場側敷居９から突出しない状態に保持される。即ち、図３（ｂ）に示すように、バルーン体１１は膨張しても、その上部がかご側敷居５及び乗場側敷居９と同一面上あるいはその面よりやや低い位置にある。
【００１６】
このように、バルーン体１１が膨張して隙間ＣＬを閉塞することにより、異物が落下したり、お年寄りが使用する杖等が隙間ＣＬに入り込んだりする心配がない。また、バルーン体１１がかご側敷居５及び乗場側敷居９より上方に突出していないから、乗客の乗り降りや車いす等の進行の妨げとはならない。
【００１７】
ポンプ１２は、かご２のかごドア４近傍（側方）に配設されており、かごドア４の高さと略同程度の高さを有する直方体状のハウジング１６と、このハウジング１６内にて摺動するピストン１５と、ピストン１５とかごドア４とを接続する４本の連結体１４と、を備えて構成される。そして、かごドア４が開閉すると、ピストン１５が連結体１４を介してかごドア４の開閉方向（図２の左右方向）に移動する。
【００１８】
より詳細には、かごドア４のドア開動作（即ち、かごドア４が図２の右側に移動する動作）に連動して、ピストン１５が図２の右側に移動しながらハウジング１６内の空気（気体）を吐出する。吐き出された空気は、流路としてのパイプ１３を介してバルーン体１１に導入され、この空気によってバルーン体１１は膨張する。そして、かごドア４が全開のときに、バルーン体１１は乗場側敷居９の側壁に密着する（図３（ｂ）参照）。
【００１９】
一方、かごドア４のドア閉動作（即ち、かごドア４が図２の左側に移動する動作）に連動して、ピストン１５がバルーン体１１内の空気を吸い込む。これによりバルーン体１１は収縮し、隙間ＣＬの閉塞が解除される（図３（ａ）参照）。
【００２０】
ここで、ピストン１５のハウジング１６との摺動部には、自己潤滑性を有する樹脂性材料のピストンリング（図示せず）が装着されており、エレベータ装置の通常運転中に、ピストン１５の往復動作によって空気が漏れないような構成となっている。なお、ハウジング１２は、バルーン体１１を膨張させるのに十分な空気を送り込めるだけの容積を有するよう設計されている。即ち、ピストン１５の押しのけ量がバルーン体１１の膨張とバランスするよう構成されている。
【００２１】
このように構成された本実施形態に係るエレベータ装置によれば、かご２が各乗場６に停止し、かごドア４が開いた際には、バルーン体１１が膨張して隙間ＣＬが閉塞された状態となり、異物の落下等が防止される。また、かご２が昇降路１内を昇降中は、バルーン体１１が収縮しているから、隙間ＣＬの閉塞は解除され、かご２の昇降動作の邪魔にならない。
【００２２】
そして、本実施形態によれば、ポンプ１２により膨張、又は収縮するバルーン体１１によってかご側敷居５と乗場側敷居９との間の隙間ＣＬを閉塞することにより、経年劣化が少ない装置を実現できる。即ち、バルーン体１１が有する弾性力に抗して屈曲状態とするといったことがないことから、経年に伴う劣化を低減することができる。また、かご側敷居５と乗場側敷居９との間の隙間ＣＬを可撓性に富むバルーン体１１で閉塞する構造であることから、かご敷居５と乗場敷居９との隙間を確実に塞ぐことができる。
【００２３】
さらに、ポンプ１２は、かごドア４のドア開動作に応じてバルーン体１１に気体の吐出を行うと共に、かごドア４のドア閉動作に応じてバルーン体１１から気体の吸い込みを行うことにより、ポンプ１２を駆動するための駆動機を別途、設ける必要がなく、部品員数の低減を図り、低コストなものとすることができる。
【００２４】
さらにまた、隙間閉塞装置１０をかご２側に設けることにより、１つの隙間閉塞装置１０で、この隙間閉塞装置１０を有するエレベータがサービスする複数の階床においてかご側敷居５と乗場側敷居９との間の隙間を閉塞することが可能となる。
【００２５】
また、バルーン体１１をゴムチューブとすることにより、低コストで製作性に優れたものとし、かつ長期使用によりバルーン体１１が劣化したときには、同一品と交換することで容易に対応することができる。
【００２６】
なお、前述した実施形態は本発明を分かりやすく説明するために詳細に説明したものであり、必ずしも説明した全ての構成を備えるものに限定されるものではない。また、前述した実施形態の構成の一部について、他の構成の追加・削除・置き換えをすることが可能である。例えば、前述した実施形態では隙間閉塞装置１０をかご２側に設けたが、本発明はこれに限らず、乗場６側に設けてもよい。
【００２７】
また、ポンプ１２の作動を、連結体１４を介してかどドア４の開閉と連動させる構成としたが、これに代えて、ポンプ１２をドア４の開閉とは独立した駆動手段により作動させるようにしても良い。また、バルーン体１１は、接着剤により固着するようにしたが、バルーン体１１の固定は接着以外の方法を用いても良い。
【符号の説明】
【００２８】
１  昇降路
２  かご
３  かご出入口
４  かごドア
５  かご側敷居
６  乗場
７  乗場出入口
８  乗場ドア
９  乗場側敷居
１０  隙間閉塞装置
１１  バルーン体（膨張体）
１２  ポンプ（気体供給装置）
【図１】
2016084183.tif 000003
【図２】
2016084183.tif 000004
【図３】
2016084183.tif 000005